(57)【特許請求の範囲】
【請求項１】
遊技機の制御をなす制御素子等を搭載の制御基板を格納するために、シャーシ体とケース体で構成の制御箱であって、
前記制御箱の側部に開口窓を形成の装着口を設け、前記ケース体の装着口に上スリットを形成すると共に、前記シャーシ体の装着口に下スリットを形成し、
前記ケース体の装着口と前記シャーシ体の装着口を覆う封印紙を貼着し、
前記開口窓に対応する位置に突起体を設ける本体と先端部に係止爪を形成の一対の挿入体とで蓋部材を構成し、
前記挿入体を上スリットと下スリットに挿入すると、封印紙は前記突起体によって押し出された状態になることを特徴とする遊技機の制御箱。
【発明の詳細な説明】
【０００１】
【発明の属する技術分野】
本発明は、遊技機（パチンコ機等）の遊技内容を制御する制御基板を格納する制御箱であって、不正行為を防止する制御箱に関する。
【０００２】
【従来の技術】
遊技機（パチンコ機等）には、遊技内容を制御する制御基板を配設の制御箱が遊技者に対して、常に興趣を与えるために、遊技内容の変更を容易となるように、制御箱を着脱自在としている。
前記制御基板には、ＣＰＵ、ＲＯＭ等の制御素子が配置してあり、とりわけ制御ソフトが記録してあるＲＯＭが重要な役割を果たす。そこで、かかるＲＯＭを取り替えて、異なるゲームとすることを禁止するため、制御箱には封印紙が貼着してあって、容易に不正ができないようになっている。
【０００３】
【発明が解決しようとする課題】
しかしながら、特殊な液体を使用して、封印紙を傷つけることなく、且つ封印紙が貼ってあった痕跡を残すことなく剥し、不正なＲＯＭと交換した後に、同じ封印紙を貼る不正改造を行う行為が行われている。
従って、かかる不正行為を容易に行わない対策が望まれていて、本発明はかかる課題を解消可能とする制御箱を提供するものである。
【０００４】
【課題を解決するための手段】
請求項１の遊技機の制御箱について実施例に基づいて説明すると、制御箱（１）はシャーシ体（１０）とケース体（３０）で構成してある。
制御箱の側部には開口窓（４０ａ、４０ｂ）を形成の装着口（１１）が設けてあり、ケース体の装着口（１１）には上スリット（１８ａ）が、シャーシ体の装着口（１１）には下スリット（１８ｂ）が形成してある。
又、ケース体の装着口（１１）とシャーシ体の装着口（１１）には、封印紙（１５）を貼着して装着口（１１）を覆っている。
又、蓋部材（１６Ｂ）は、開口窓（４０ａ、４０ｂ）に対応する位置に突起体（４３ａ、４３ｂ）を設ける本体と、先端部に係止爪（２２Ａ、２２Ｂ）を形成の一対の挿入体（１７ａ、１７ｂ）とで構成してある。
そこで、重ね合わせたシャーシ体（１０）とケース体（３０）の装着口（１１）に封印紙（１５）を貼った後に、挿入体（１７ａ、１７ｂ）を上スリット（１８ａ）と下スリット（１８ｂ）に挿入すると、封印紙（１５）は突起体（４３ａ、４３ｂ）によって押し出された状態になる。
このような制御箱において、制御基板に搭載の「ＲＯＭ等の制御素子」を取り替えるためには、蓋部材（１６Ｂ）を破壊することを要する。しかし、封印紙（１５）は突起体（４３ａ、４３ｂ）で押し出された状態で、損傷し易い状態であるため、その突起体（４３ａ、４３ｂ）を切断すると、封印紙（１５）に痕跡が残るので、不正行為を防止することができる。
【０００５】
【発明の実施の形態】
遊技機としてパチンコ機を例にとって説明すると、パチンコ機は遊技球が特定箇所に入賞すると、図柄表示器を介して遊技者にとって有利な大当たり等を生起して多量の景品球を払い出す。このような、遊技内容を制御するために、パチンコ機の裏面には制御箱１内に、「ＲＯＭ等の制御素子」を搭載の制御基板（図示略）をビス等で固定して格納してある。
【０００６】
図１はよく知られたパチンコ機の裏面図であり、裏面中央には遊技盤の表側に配設の入賞口等に入賞した遊技球を集めて、入賞球処理装置６２に１球毎分離処理させる入賞球集合樋６１が設けてある。この入賞球集合樋６１の左下方には、入賞球や賞品球等のゲーム処理を行う制御素子を搭載の制御基板を内蔵の制御箱１が配設してあると共に、右下方には、球貸機２０からの信号に基づく貸球等の処理信号をパチンコ機と送受信するインターフェイス基板８０が設置してある。
【０００７】
又、パチンコ機の上部には、排出前の遊技球を貯留しておく貯留タンク６３が設けてあり、その貯留タンク６３から遊技球を二列に整列させて遊技球排出装置６５まで誘導する整列樋６４が設置してある。この整列樋６４には、遊技球の重なりを防止する球ならし６６が揺動自在に垂設してある。又、前記遊技球排出装置６５から排出の遊技球は流下樋６７を経て上皿に流出する。又、パチンコ機の上部右側にはターミナル基板６９が取り付けてあり、左下部には遊技球発射装置９１が設けてあって遊技球を一球毎発射する。
【０００８】
（第１の実施の形態）
図２は制御箱１の斜視図であって、この制御箱１は箱状のシャーシ体１０とケース体３０で構成する。又、図３は制御箱１の正面図、図４は図３のＡ〜Ａ断面図である。
シャーシ体１０は開口を有する四角い箱状に透明な合成樹脂で製作する。そして、正面１０ａと裏面１０ｂの中央部には、ケース体３０を装着したとき同一面となるように、凹状の装着口１１が形成してある。その装着口１１の上部には、ケース体３０をビスを介して固定するための貫通孔１２が穿設して有ると共に、封印紙１５のほぼ半分を貼付可能なスペースを隔てて、蓋部材１６の下挿入体１７ｂを差込可能な下スリット１８ｂが形成してある。又、正面１０ａと裏面１０ｂの両端部には、ケース体３０を取り付ける突出体２０、２０が設けてある。
【０００９】
蓋部材１６は、透明な合成樹脂で板状の本体１６ａと上挿入体１７ａ、下挿入体１７ｂで構成し、本体１６ａは装着口１１に望ましくは隙間なく装着する大きさで、検査の際（後記で詳述）に蓋部材を破壊可能とするための切込み窓１９が適宜の間隔で形成してあると共に、裏面側に上スリット１８ａと下スリット１８ｂに挿入する上挿入体１７ａと下挿入体１７ｂが突設してある。又、この挿入体１７ａ、１７ｂの先端には、互いに外側を向くように係止爪２２（錨型）が形成してあって、前記上スリット１８ａと下スリット１８ｂに差し込むと脱抜を禁止する。
【００１０】
ケース体３０は、前記シャーシ体１０に装着したとき各側面が同一面となるように、且つ、内部が見えるように透明の合成樹脂で形成してある。
そして、正面３０ａと裏面３０ｂの中央部には、前記貫通孔１２に対応する位置に固定孔３１が穿設してあると共に、前記蓋部材１６の上挿入体１７ａを差込可能な上スリット１８ａが形成してある。又、ケース本３０には突起板３２を設け、前記シャーシ体１０に形成の突出体２０に対応する位置に挿入孔３３を形成してあると共に、その上部に切込み窓３４を形成して、検査のとき、ニッパー等で、突起板３２の切断を容易とする。
【００１１】
次に、前記構成の制御箱１の組立てについて、正面図を示す図３、Ａ〜Ａ断面を示す図４を参照して説明する。
先ず、ケース体３０に形成の挿入孔３３をシャーシ体１０の突出体２０に装着する。尚、挿入孔３３は突起板３２のたわみを利用して容易に装着できる。
そして、平ビス２４を固定孔３１及び貫通孔１２に装着することによって、ケース体３０はシャーシ体１０と固定され、この平ビス２４を使用することによって、ビスを抜くことは困難となる。
次に、封印紙１５をケース体３０とシャーシ体１０にまたがるように、且つ、平ビス２４の上に貼った後に、蓋部材１６の上挿入体１７ａと下挿入体１７ｂを上スリット１８ａと下スリット１８ｂに差し込む。蓋部材１６の本体１６ａは装着口１１に隙間なく装着されると共に、上挿入体１７ａの係止爪２２はケース体３０を、下挿入体１７ｂの係止爪２２はシャーシ体１０をそれぞれ係止して脱抜を不可能とする（図４参照）。
【００１２】
このように組み立てられた制御箱１は、透明な蓋部材１６を介して封印紙１５を見ることができると共に、ケース体３０（又はシャーシ体１０）を開けるためには、係止爪２２で固定してあるため、蓋部材１６を破壊しない限り不可能となるため、不正行為が困難となる。
又、この制御箱１は、熱い金属棒等によって、突出体２０を熱溶解することによって、シャーシ体１０とケース体３０は結合された状態となる。そこで、ケース体３０を開けるために、ニッパー等で切込み窓３４を介して突起板３２を切断をするか、熱結合箇所を切断する等をしなければならないため、かかる行為をすると切断痕跡が残るため、不正にケース体３０を開けることが困難となる。
【００１３】
次に、組み立てた制御箱１は、遊技内容を記録の「ＲＯＭ等」を点検することがあるため、その際の作業について説明する。
この点検に際しては、先ず、ニッパー等で切込み窓３４を介して突起板３２を切断して、ケース体３０とシャーシ体１０を分離可能とする。
次に、ニッパー等で蓋部材１６を破壊するが、この破壊（切断）を容易にするために設けた切込み窓１９を介して行う。即ち、蓋部材１６が平坦であると、かかるニッパー等での破壊（切断）は困難であるが、この切込み窓１９のため容易に行うことができる。
そして、封印紙１５を剥した後にビス２４を抜くと、シャーシ体１０とケース体３０は分離できて開くことができる。その後、制御基板からＲＯＭを取り出して点検する。
【００１４】
次に、点検が終了した後の制御箱１の組立てについて説明すると、先ず、ケース体３０をシャーシ体１０に装着する。そして、前記と同様に、平ビス２４で固定した後に、新たな点検封印紙１５をケース体３０とシャーシ体１０にまたがって貼る。
そして、本体１６ｂに切込み窓１９を形成していない点検蓋部材１６Ａ（図２参照）を持って、上挿入体１７ａと下挿入体１７ｂをそれぞれ上スリット１８ａと下スリット１８ｂに差し込む。
この点検蓋部材１６Ａを差し込むことによって、点検封印紙１５は透明な点検蓋部材１６Ａを介して確認することができる。又、「ＲＯＭ等」を取り出すためには、係止爪（錨型）２２がケース体３０とシャーシ体１０を係止してあるため、点検蓋部材１６を破壊しない限り不可能であるし、更に、点検蓋部材１６Ａには、前記蓋部材１６と異なって切込み窓１９を形成していないため、破壊がより困難である。
【００１５】
前記の制御箱１は、蓋部材１６の挿入体１７ａ、１７ｂに係止爪２２が形成してあるため、一度装着すると、蓋部材１６を破壊しない限り、制御箱１を開いて「ＲＯＭ等」の取り替えが困難であるし、更に、突出体２０を熱溶解して結合しておくと、開けたときの痕跡が残るため不正行為の防止となる。又、本発明の蓋部材１６には、点検を想定して、容易に破壊できるように、蓋部材１６に切込み窓１９を、突起板３２に切込み窓３４を形成してある。
尚、前記突出体２０はシャーシ体１０に、挿入孔３３はケース体３０体に形成してあるが、その逆であってもよく、又、突出体２０は熱で容易に融ける合成樹脂とすればよく、その他本体は金属等であってもよい。
【００１６】
（第２の実施の形態）
本実施の形態の制御箱について、図５〜図７を参照して説明する。尚、前記第１の実施の形態と同じ部品には同じ符号を付して説明を略すと共に相違点を記載する。
シャーシ体１０の装着口１１には、ビス２４を介して固定する貫通孔１２を挟んで一対の開口窓４０ａ、４０ｂが形成してある。又、ケース体３０にも、前記貫通孔１２に対応する位置に固定孔３１を挟んで一対の開口窓４１ａ、４１ｂが形成してある。
又、蓋部材１６Ｂは、図６（Ａ）（正面図）、図６（Ｂ）（側面図）に示すように、上挿入体１７ａ、下挿入体１７ｂの端部に形成の上係止爪２２Ａと下係止爪２２Ｂは、互いに向き合う方向（上係止爪２２Ａは下挿入体１７ｂ、下係止爪２２Ｂは上挿入体１７ａに向けて）に形成すると共に、点検が容易なように切込み窓１９が形成してある。又、蓋部材の本体１６ａには、前記開口窓４０ａ、４１ａと開口窓４０ｂ、４１ｂに対応して突起体４３ａ、４３ｂが設けてある。
尚、蓋部材１６Ｃは、点検後に装着するものであって、蓋部材１６Ｂと同じ構成であるが切込み窓１９が形成していない。又、５０はＲＯＭ等の制御素子（図示略）を装着する制御基板であってシャーシ体１９にビスで固定する。
【００１７】
前記構成の各部品を前記第１実施の形態と同じ要領で組み立てたときの断面を図７（Ａ）（Ｂ）に示すと、封印紙１５は開口窓４０ａ、４１ａ、開口窓４０ｂ、４１ｂの箇所で、蓋部材１６Ｂの本体１６ａに設けた突起体４３ａ、４３ｂによって、図７に示すように押し出された（曲がった状態）で取り付けられると共に、蓋部材１６Ｂは装着口１１と隙間なく嵌合状態で装着され、且つ、上係止爪２２Ａはケース体３０を、下係止爪２２Ｂはシャーシ体１０をそれぞれ互いに向き合う状態で係止して脱抜を禁ずる。
【００１８】
次に、前記制御箱を開くには、先ず、ニッパー等で蓋部材１６Ｂの切込み窓１９から切断することを要すると共に突起体４３ａ、４３ｂも切断しなければならない。しかしながら、封印紙１５が突起体４３ａ、４３ｂと接触状態であるため、かかる行為を行うと、封印紙１５を損傷する可能性が大きい。
又、たとえ、封印紙１５を損傷することなく蓋部材１６Ｂを切断できたとしても、ケース体１０とシャーシ体３０はビス２４で固定してある。そこで、このビス２４を外すためには、封印紙１５を傷つけることなく抜き取るか、蓋部材１６Ｂを取り外すことが必要であるが、前者は難しい。
そこで、後者について説明すると、分離された上蓋部材１６Ｂを抜こうとすると、分離された蓋部材に付設の上係止爪２２Ａは下方向（下挿入体１７ｂ方向）に向いているために、分離した上側の蓋部材１６Ｂを抜くためには上方向に動かすことを要するが、上側の蓋部材１６Ｂは装着口１１の上縁１１ａに当たって動かすことができず、結局、抜くことが困難であると共に、この蓋部材１６Ｂを抜くために動かすと封印紙１５を傷つけことにもなる。一方、分離された下側の蓋部材１６Ｂにおいては、上側の蓋部材と逆に動かす必要があるが、下側の蓋部材１６Ｂが装着口１１の下縁１１ｂに当たっているため、同様に脱抜が難しい。
以上のように、本実施の形態の制御箱は封印紙１５を傷つけることなく蓋部材１６Ｂを切断できたとしても、封印紙１５を損傷することなくビス２４で固定のシャーシ体１０とケース体３０を分離することができないので、結局、封印紙１５を損傷することなく不正に「ＲＯＭ」等の交換は困難である。
【００１９】
【発明の効果】
本発明の遊技機の制御箱は、シャーシ体とケース体を合わせて、装着口に封印紙を貼った後に、係止爪を形成の蓋部材を装着すると、封印紙は突起体によって押し出されて損傷し易い状態であるため、突起体を破壊すると、その痕跡が封印紙に残るので、不正行為を防止することができる。
【図面の簡単な説明】
【図１】遊技機（パチンコ機）の裏面図である。
【図２】第１実施の形態の制御箱の部品斜視図である。
【図３】第１実施の形態の制御箱の正面図である。
【図４】図３のＡ〜Ａ断面図である。
【図５】第２実施の形態の制御箱の部品斜視図である。
【図６】第２実施の形態の蓋部材の正面図と側面図である。
【図７】第２実施の形態の制御箱を組み立てたときの断面図である。
【符号の説明】
１  制御箱
１０  シャーシ体
１１  装着口
１５  封印紙
１６  蓋部材
１６Ｂ  蓋部材
１７ａ  上挿入体
１７ｂ  下挿入体
１８ａ  上スリット
１８ｂ  下スリット
２０  突出体
２２  係止爪
２２Ａ、２２Ｂ  係止爪
３０  ケース体
３３  挿入孔
【図１】
0003747510.tif 000002
【図２】
0003747510.tif 000003
【図３】
0003747510.tif 000004
【図４】
0003747510.tif 000005
【図５】
0003747510.tif 000006
【図６】
0003747510.tif 000007
【図７】
0003747510.tif 000008